(57)【要約】      （修正有）【課題】本体部が確実に固定され、短時間でメンテナンスを行うことができるガラスアンテナ用電子部品を提供する。【解決手段】ベース部２３に、係止部３６が設けられ、本体部２４の係止部３６に対向する場所に、係止部３６に掛けられる爪部材４７が撓むことができるように設ける。本体部２４の爪部材４７を撓ませながら、本体部２４をベース部２３に向かって押し込む。爪部材４７が係止部３６に掛けられることで、爪部材４７の撓みが消え、本体部２４がベース部２３に取付けられる。爪部材４７を係止部３６に掛けることで本体部２４を固定しているため、振動により本体部２４の固定が緩むことが防止される。振動を受けた場合も、本体部２４はベース部２３に確実に固定される。【選択図】図３
2011097187.tif 000002
【特許請求の範囲】
【請求項１】
ガラス板上にプリントされているアンテナに接続されるベース部と、このベース部に取付けられ前記アンテナで受信した信号を増幅するアンプが内蔵されている本体部とからなるガラスアンテナ用電子部品において、
前記ベース部に、係止部が設けられ、
前記本体部の前記係止部に対向する部位に、前記係止部に掛けられる爪部材が可撓自在に設けられていることを特徴とするガラスアンテナ用電子部品。
【請求項２】
前記本体部は、合わせることで前記アンプを収納するハウジング及びカバー部材と、これらのハウジングとカバー部材との合せ面に沿って前記ハウジングから延ばす第１延長部及び前記カバー部材から延ばす第２延長部と、互いに重ねられた第１延長部と第２延長部に一括して嵌めることで前記ハウジングに前記カバー部材を連結する締結部材とからなることを特徴とする請求項１記載のガラスアンテナ用電子部品。
【請求項３】
前記爪部材は、前記ハウジングの一端に設けられた第１爪部材と、この第１爪部材の他端であって前記カバー部材に設けられた第２爪部材とからなり、
前記係止部は、前記第１爪部材が係止される第１係止部と、前記第２爪部材が係止される第２係止部とからなることを特徴とする請求項２記載のガラスアンテナ用電子部品。
【請求項４】
前記ベース部に、前記本体部の取付け位置を決めるための位置決め部が設けられ、前記本体部の前記位置決め部に対向する位置に、前記位置決め部に嵌合する嵌合部が設けられていることを特徴とする請求項１、請求項２又は請求項３記載のガラスアンテナ用電子部品。
【発明の詳細な説明】
【技術分野】
【０００１】
本発明は、ガラス板上にプリントされたアンテナに接続される、ガラスアンテナ用電子部品に関する。
【背景技術】
【０００２】
リヤウインドウガラスにアンテナがプリントされ、このアンテナにガラスアンテナ用電子部品が接続され、アンテナで受信したラジオ波等がガラスアンテナ用電子部品を介して車両のオーディオ機器等に取込まれる。
このようにして用いられるガラスアンテナ用電子部品が知られている（例えば、特許文献１（図１）参照。）。
【０００３】
特許文献１を次図に基づいて説明する。
図９に示すように、ガラスアンテナ用電子部品１００は、リヤウインドウ１０１上に接着剤１０２を用いて接着されるベース部材１０３と、このベース部材１０３の左右に取付けられアンテナ１０４、１０４にはんだ付けされる脚部１０５、１０５と、この脚部１０５、１０５の上面に両端が接触される本体部１０６と、この本体部１０６をベース部材１０３に取付けるためのねじ１０７、１０７と、これらのねじ１０７、１０７の上方から被せられねじ１０７、１０７及び本体部１０６を覆うカバー部材１０８とからなる。
【０００４】
ところで、車両の走行中に、路面の凹凸による振動が車体に伝わることがある。このガラスアンテナ用電子部品１００は、ねじ１０７、１０７を用いて本体部１０６を固定しているため、振動によりねじ１０７、１０７が緩むことがある。
【０００５】
また、ガラスアンテナ用電子部品１００のメンテナンスを行う場合にも、本体部１０６を取外すためにねじ１０７、１０７を取外さなければならず、メンテナンスを行うのに時間がかかる。
【０００６】
本体部が確実に固定され、短時間でメンテナンスを行うことができるガラスアンテナ用電子部品の提供が望まれる。
【先行技術文献】
【特許文献】
【０００７】
【特許文献１】特開２００９−４４３３４公報
【発明の概要】
【発明が解決しようとする課題】
【０００８】
本発明は、本体部が確実に固定され、短時間でメンテナンスを行うことができるガラスアンテナ用電子部品の提供を課題とする。
【課題を解決するための手段】
【０００９】
請求項１に係る発明は、ガラス板上にプリントされているアンテナに接続されるベース部と、このベース部に取付けられ前記アンテナで受信した信号を増幅するアンプが内蔵されている本体部とからなるガラスアンテナ用電子部品において、
前記ベース部に、係止部が設けられ、
前記本体部の前記係止部に対向する部位に、前記係止部に掛けられる爪部材が可撓自在に設けられていることを特徴とする。
【００１０】
請求項２に係る発明は、本体部は、合わせることでアンプを収納するハウジング及びカバー部材と、これらのハウジングとカバー部材との合せ面に沿ってハウジングから延ばす第１延長部及びカバー部材から延ばす第２延長部と、互いに重ねられた第１延長部と第２延長部に一括して嵌めることでハウジングにカバー部材を連結する締結部材とからなることを特徴とする。
【００１１】
請求項３に係る発明は、爪部材は、ハウジングの一端に設けられた第１爪部材と、この第１爪部材の他端であってカバー部材に設けられた第２爪部材とからなり、
係止部は、第１爪部材が係止される第１係止部と、第２爪部材が係止される第２係止部とからなることを特徴とする。
【００１２】
請求項４に係る発明は、ベース部に、本体部の取付け位置を決めるための位置決め部が設けられ、本体部の位置決め部に対向する位置に、位置決め部に嵌合する嵌合部が設けられていることを特徴とする。
【発明の効果】
【００１３】
請求項１に係る発明では、ベース部に、係止部が設けられ、本体部の係止部に対向する場所に、係止部に掛けられる爪部材が撓むことができるように設けられている。本体部をベース部に取付ける場合は、本体部の爪部材を撓ませながら、本体部をベース部に向かって押し込む。爪部材が係止部に掛けられることで、爪部材の撓みが消え、本体部がベース部に取付けられる。爪部材を係止部に掛けることで本体部を固定しているため、振動により本体部の固定が緩むことが防止される。振動を受けた場合も、本体部はベース部に確実に固定される。
【００１４】
加えて、本体部を外す場合は、爪部材を撓ませつつ本体部をベース部から離す。本体部を外すためにドライバ等の工具が不用であり、容易に取り外すことができる。このため、メンテナンスを短時間で行うことができる。
【００１５】
請求項２に係る発明では、カバー部材と、アンプが収納されるハウジングとは、先端が連結部材に嵌合されることで一体的に押さえられている。連結部材を外すことで、ハウジングをカバー部材から離すことができ、アンプのメンテナンスを行うことができる。連結部材を外す工具が不用であるため、容易にカバー部材を取り外すことができ、容易にメンテナンスを行うことができる。
【００１６】
請求項３に係る発明では、爪部材は、ハウジングの一端に設けられた第１爪部材と、他端であってカバー部材に設けられた第２爪部材とからなる。ハウジングとカバー部材のそれぞれに爪部材を設けることで、より本体部がベース部に確実に取り付けられる。
【００１７】
請求項４に係る発明では、ベース部に、位置決め部が設けられ、本体部の位置決め部に対向する位置に、位置決め部に嵌合する形状の嵌合部が設けられている。本体部をベース部に取付ける場合は、位置決め部に嵌合部を合わせた上で、本体部をベース部に向かって押し込む。位置決め部に嵌合部を合わせるだけで、確実に本体部をベース部に取付けることができ、ガラスアンテナ用電子部品の組立作業を短時間で行うことができる。
【図面の簡単な説明】
【００１８】
【図１】本発明の実施例１に係るガラスアンテナ用電子部品が設けられている車両用ウインドウガラスを説明する図である。
【図２】実施例１に係るガラスアンテナ用電子部品の分解図である。
【図３】実施例１に係るガラスアンテナ用電子部品の断面図である。
【図４】実施例１に係るガラスアンテナ用電子部品の斜視図である。
【図５】図４のベース部から本体図を外し、この本体部を１８０°反転した図である。
【図６】ベース部を１８０°反転した図である。
【図７】ベース部から本体部を着脱する作業を説明する図である。
【図８】実施例２を説明する図である。
【図９】従来の技術の基本構成を説明する図である。
【発明を実施するための形態】
【００１９】
本発明の実施の形態を添付図に基づいて以下に説明する。なお、図面は符号の向きに見るものとする。
【実施例１】
【００２０】
先ず、本発明の実施例１を図面に基づいて説明する。
図１に示されるように、車両用ウインドウガラス１０は、ガラス板１１と、このガラス板１１の表面にプリントされた防曇ヒータ１２及びアンテナ１３と、このアンテナ１３に接触するよう設けられているガラスアンテナ用電子部品２０とからなる。
【００２１】
アンテナ１３は、ＡＭラジオ用、ＦＭラジオ用、テレビ用、カーナビゲーションシステム用等、任意の電子機器のアンテナを選択することができ、これらのものに用途は限られない。
【００２２】
また、ガラス板１１は、リヤウインドウの他、フロントウインドウやサイドウインドウであってもよく、任意に選択することができる。
このようなガラスアンテナ用電子部品２０について、詳細を次図で説明する。
【００２３】
図２に示すように、ガラスアンテナ用電子部品２０は、金属製の導電部材２１及びこの導電部材２１に一体的に取付けられるケース２２からなるベース部２３と、このベース部２３に取付けられ導電部材２１からアンテナ１３で受信した信号が送られる本体部２４とからなる。
【００２４】
導電部材２１は、中央がアンテナ１３から離れる方向に曲げられブリッジ部２５とされている導電板２６ａ、２６ｂと、これらの導電板２６ａ、２６ｂの底面に半円状に設けられアンテナ１３に接触する接触凸部２７ａ、２７ｂと、導電板２６ｂの上面から立上げられ本体部２４に接続される導電ピン２８ｂと、この導電ピン２８ｂと同様に導電板２６ａ、２６ｂの上面に立上げられ窓部２９、２９を有する側壁３１、３１とからなる。
【００２５】
なお、導電板２６、接触凸部２７、導電ピン２８に付されているａ、ｂの添え字は、それぞれ、ａが＋側であることを示し、ｂが−側であることを示す。後述する接触部材（符号５１）、アンプ（符号５２）についても同様である。
＋側の導電ピンは、図面手前側に設けられている。詳細は後述する。
【００２６】
接触凸部２７を設けることで、導電部材２１が確実にアンテナ１３に接触するようにしている。
加えて、導電板２６の中央をブリッジ部２５とし、導電板２６の底面全体をアンテナ１３に接触させない。接触凸部２７のアンテナ１３へのはんだ付けを行いやすくなる。
【００２７】
断面視Ｌ字状のケース２２は、底面３４に導電ピン２８ｂが通される穴３７を有し、底面３４から立上げられた立上げ部３５の上端に鉤状の第１係止部３６を有する。
【００２８】
ケース２２の側面壁部３８には、図面奥に向かって突出する凸部３９、３９が設けられ、この凸部３９、３９が導電部材２１の窓部２９、２９に押込まれることで、樹脂製のケース２２は導電部材２１に一体的に取付けられる。
【００２９】
本体部２４は、底面に導電部材２１の導電ピン２８ｂが通される穴４１を有するハウジング４２と、このハウジング４２に被せられるカバー部材４３と、ハウジング４２とカバー部材４３との合せ面４５に沿ってハウジング４２から延ばす第１延長部３２及びカバー部材４３から延ばす第２延長部３３と、互いに重ねられた第１延長部３２と第２延長部３３に一括して嵌めることでハウジング４２にカバー部材４３を連結する締結部材４４と、ハウジング４２に収納されるアンプ５２ｂとからなる。
【００３０】
ハウジング４２の後端に図面左右に向かって可撓自在に第１爪部材支持部４６が図面表裏に２つ設けられ、第１爪部材支持部４６同士を繋ぐようにして図面表裏方向に第１爪部材４７が設けられている。
第１爪部材４７は、第１係止部３６に対向する場所に設けられている。
第１爪部材支持部４６の上端に、第１爪部材支持部４６を撓ませる際に押圧される第１押圧部４８が設けられる。
【００３１】
ハウジング４２内には、導電ピン２８ｂが差し込まれる接触部材５１ｂと、この接触部材５１ｂの上面に接続されアンテナ１３で受信した信号を増幅するアンプ５２ｂと、このアンプ５２ｂに圧着端子５４を介して一端が接続され他端がラジオ等の電気部品につながれるハーネス５３とが収納される。
【００３２】
カバー部材４３と、アンプ５２が収納されるハウジング４２とは、先端が連結部材４４に嵌合されることで一体的に押さえられている。連結部材４４を外すことで、ハウジング４２をカバー部材４３から離すことができ、アンプ５２のメンテナンスを行うことができる。連結部材４４を外す工具が不用であるため、容易にカバー部材４３を取り外すことができ、容易にメンテナンスを行うことができる。
【００３３】
図３に示すように、ガラスアンテナ用電子部品２０は、導電部材２１にケース２２を一体的に取付けたベース部２３をアンテナ１３の上面にはんだ付けすることでベース部２３をアンテナ１３上に固定し、このベース部２３に本体部２４を押込むことで、車両用ウインドウガラス１０に取付けられている。
【００３４】
アンテナ１３はハーネス５３に、接触凸部２７ｂ、導電板２６ｂ、導電ピン２８ｂ、接触部材５１ｂ、アンプ５２ｂを介して電気的に接続されている。＋側も同様である。ハーネス５３の他端は、ラジオ等の電気部品に接続されている。
連結部材４４の上面には、連結部材４４の取り外し作業等が行いやすくなるよう、凹部４４ａが設けられている。
【００３５】
図４に示すように、カバー部材４３の先端に第２爪部材５５が撓むことができるようにして図面表裏方向に２つ設けられている。鉤状の第２爪部材５５の上部には、押圧することで第２爪部材５５を撓ませるための第２押圧部５６が設けられている。
【００３６】
ベース部２３の第２爪部材５５に対向する場所に、鉤状の第２係止部５７が設けられている。
爪部材は、これらの第２爪部材５５と、第１爪部材（図２、符号４７）とからなり、係止部は、第２係止部５７と、第１係止部（図２、符号３６）とからなる。
【００３７】
図５に示すように、ベース部２３に、本体部２４の取付け位置を決めるための位置決め部５９が設けられ、本体部２４の位置決め部５９に対向する位置に、位置決め部５９に嵌合する嵌合部６１が設けられている。
【００３８】
本体部２４をベース部２３に取付ける場合は、位置決め部５９に嵌合部６１を合わせた上で、本体部２４をベース部２３に向かって押し込む。位置決め部５９に嵌合部６１を合わせるだけで、確実に本体部２４をベース部２３に取付けることができ、ガラスアンテナ用電子部品２０の組立作業を短時間で行うことができる。
【００３９】
図６に示すように、導電板２６ａは、一端の底面に接触凸部２７ａが設けられ、他端がコの字状に形成され、このコの字状部６４の１辺から導電ピン２８ａが延ばされている。
また、導電板２６ｂは、十文字状に形成され、一端の底面に接触凸部２７ｂが設けられ、他端から導電ピン２８ｂが延ばされている。
このようなガラスアンテナ用電子部品２０の作用を次図で説明する。
【００４０】
図７（ａ）に示すように、本体部２４をベース部２３に取り付ける場合は、本体部２４を手６２で持ちながらベース部２３に向かって本体部２４を押込むようにして前進させる。
このとき、第１爪部材４７は、鉤状の第１係止部３６によって撓まされ、第２爪部材５５も、鉤状の第２係止部５７に撓まされる。
係止部３６、５７及び爪部材４７、５５が鉤状であれば、射出成形で容易に成形することができ有益である。
【００４１】
第１爪部材４７が第１係止部３６よりも下方まで押し込まれ、且つ第２爪部材５５が第２係止部５７よりも下方に押し込まれたところで、（ｂ）に示すように、本体部２４はベース部２３に取り付けられる。
本体部２４がベース部２３に取付けられることで、爪部材４７、５５の撓みは解消される。
【００４２】
本体部２４を押込むだけでベース部２３に取付けることができるため、取付け作業にかかる時間を短縮することができる。
【００４３】
ベース部２３に、係止部３６、５７が設けられ、本体部２４の係止部３６、５７に対向する場所に、爪部材４７、５５が撓むことができるように設けられている。本体部２４をベース部２３に取付ける場合は、本体部２４の爪部材４７、５５を撓ませながら、本体部２４をベース部２３に向かって押し込む。爪部材４７、５５が係止部３６、５７に掛けられることで、爪部材４７、５５の撓みが解消され、本体部２４がベース部２３に取付けられる。爪部材４７、５５を係止部３６、５７に掛けることで本体部２４を固定しているため、振動により本体部２４の固定が緩むことが防止される。振動を受けた場合も、本体部２４はベース部２３に確実に固定される。
【００４４】
爪部材４７、５５は、ハウジング４２の一端に設けられた第１爪部材４７と、他端であってカバー部材４３に設けられた第２爪部材５５とからなる。ハウジング４２とカバー部材４３のそれぞれに爪部材４７、５５を設けることで、より本体部２４がベース部２３に確実に取り付けられる。
【００４５】
本体部２４をベース部２３から外す場合は、（ｃ）に示すように、第１押圧部４８及び第２押圧部５６をそれぞれ内側に向かって押しながら、本体部２４を持ち上げる。
押圧部４８、５６を押し、撓ませることで爪部材４７、５５が係止部３６、５７から外れ、本体部２４を取り外すことができる。
【００４６】
本体部２４を外すためにドライバ等の工具が不用であり、容易に取り外すことができる。このため、メンテナンスを短時間で行うことができる。
次図で本発明に係るガラスアンテナ用電子部品２０の別実施例について説明する。
【実施例２】
【００４７】
次に、本発明の実施例２を図面に基づいて説明する。
図８に示されるように、ガラスアンテナ用電子部品７０は、雌コネクタ７１の一端に雄コネクタ７２を差し込むものでも、本発明の効果を得ることができる。
【００４８】
このとき、雌コネクタ７１の他端は、カバー部材４３の先端とハウジング４２の先端とが嵌合されており、ハウジング４２とカバー部材４３とを一体的に押さえる連結部材（図２、符号４４）の役割を果たしている。
【００４９】
雌コネクタ７１を用いてハウジング４２とカバー部材４３とを一体的に押さえるため、部品点数の削減を図ることができ有益である。
【００５０】
尚、本発明に係るガラスアンテナ用電子部品は、実施の形態では車両用ウインドウガラスに適用したが、建築用ガラスにも適用可能でありこれらのものに用途は限られない。
【産業上の利用可能性】
【００５１】
本発明のガラスアンテナ用電子部品は、車両に好適である。
【符号の説明】
【００５２】
１１…ガラス板、１３…アンテナ、２０、７０…ガラスアンテナ用電子部品、２３…ベース部、２４…本体部、３２…第１延長部、３３…第２延長部、３６…第１係止部、４２…ハウジング、４３…カバー部材、４４…連結部材、４５…合せ面、４７…第１爪部材、５２…アンプ、５５…第２爪部材、５７…第２係止部、５９…位置決め部、６１…嵌合部、７１…雌コネクタ（連結部材）。
【図１】
2011097187.tif 000003
【図２】
2011097187.tif 000004
【図３】
2011097187.tif 000005
【図４】
2011097187.tif 000006
【図５】
2011097187.tif 000007
【図６】
2011097187.tif 000008
【図７】
2011097187.tif 000009
【図８】
2011097187.tif 000010
【図９】
2011097187.tif 000011